(57)【要約】【課題】不良率が減少された表示装置を提供する。【解決手段】ウィンドウはベース部材及び前記ベース部材の下面に配置され、光を透過させることができるアライメントマーク及び表示パネルと異なる形状の透過領域が定義されたベゼル層を含む。前記アライメントマークは１つ乃至３つのメインアライメントマークを含む。前記メインアライメントマークは前記表示パネルの頂点（ｖｅｒｔｅｘ）に対応する位置に配置されるか、或いは前記表示パネルと重心が同一であり、前記表示パネルより大きい正方形又は長方形の頂点に対応する位置に配置される。【選択図】図３
2020027304.tif 000002
【特許請求の範囲】
【請求項１】
ウィンドウと、
前記ウィンドウの下面に結合され、平面上で実質的に正方形状又は実質的に長方形状を有する表示パネルと、を含み、
前記ウィンドウは、
ベース部材と、
前記ベース部材の下面に配置され、光を透過させることができるアライメントマークと、前記表示パネルと異なる形状の透過領域が定義されたベゼル層と、を含み、
前記アライメントマークは、１つ乃至３つのメインアライメントマークを含み、
前記メインアライメントマークは、前記表示パネルの頂点に対応する位置に配置されるか、或いは前記表示パネルと重心が同一であり、前記表示パネルより大きい仮想の正方形又は仮想の長方形の頂点に対応する位置に配置される表示装置。
【請求項２】
前記アライメントマークは、２つの前記メインアライメントマークを含み、
２つの前記メインアライメントマークは、前記表示パネルの一側エッジに対応する２つの頂点に対応する位置に配置される請求項１に記載の表示装置。
【請求項３】
前記メインアライメントマークは、前記表示パネルの頂点と重畳する請求項１に記載の表示装置。
【請求項４】
前記表示パネルは、画素が配置される表示領域及び前記画素が配置されない非表示領域を含み、
平面視で前記透過領域は、前記表示領域内側に配置される請求項１に記載の表示装置。
【請求項５】
前記アライメントマークは、前記メインアライメントマークと離隔されて配置され、前記メインアライメントマークと異なる形状のサブアライメントマークをさらに含む請求項１に記載の表示装置。
【請求項６】
前記サブアライメントマークは、前記表示パネルのエッジに重畳する請求項５に記載の表示装置。
【請求項７】
前記アライメントマークは、前記表示パネルのエッジの外側に配置された検査用マークをさらに含む請求項１に記載の表示装置。
【請求項８】
平面上で前記表示パネルのコーナー領域には曲線が定義される請求項１に記載の表示装置。
【請求項９】
前記表示装置は自動車の室内に装着されたことを特徴とする請求項１に記載の表示装置。
【請求項１０】
前記透過領域は、前記自動車の内装材から露出され、前記自動車の前記内装材は、前記ベゼル層の一部分をカバーし、
前記アライメントマークは、前記自動車の内装材に重畳する請求項９に記載の表示装置。
【請求項１１】
ウィンドウと、
前記ウィンドウの下面に結合され、平面上で実質的に正方形状又は実質的に長方形状の表示領域及び前記表示領域の外側に配置された非表示領域を含む表示パネルと、を含み、
前記ウィンドウは、
ベース部材と、
前記ベース部材の下面に配置され、光を透過させることができるアライメントマークと、前記表示領域と異なる形状の透過領域が定義されたベゼル層と、を含み、
前記アライメントマークは、１つ乃至３つのメインアライメントマークを含み、
前記メインアライメントマークは、前記表示領域と重心が同一であり、前記表示領域より大きい仮想の正方形又は仮想の長方形の頂点に対応する位置に配置された表示装置。
【請求項１２】
前記表示パネルは、平面上で前記表示領域と異なる形状を有する請求項１１に記載の表示装置。
【請求項１３】
前記表示パネルは、平面上で実質的に正方形状又は実質的に長方形状を有する請求項１１に記載の表示装置。
【請求項１４】
前記メインアライメントマークは、前記表示パネルの頂点に対応する位置に配置される請求項１１に記載の表示装置。
【請求項１５】
ウィンドウと、
前記ウィンドウの下面に結合され、平面上で曲線型コーナー領域を有する正方形状又は平面上で曲線型コーナー領域を有する長方形状の表示パネルと、を含み、
前記ウィンドウは、
ベース部材と、
前記ベース部材の下面に配置され、光を透過させることができるアライメントマーク及び前記表示パネルと異なる形状の透過領域が定義されたベゼル層と、を含み、
前記アライメントマークは、１つ乃至３つのメインアライメントマークを含み、
前記メインアライメントマークは、前記表示パネルの頂点に対応する位置に配置されるか、或いは前記表示パネルと重心が同一であり、前記表示パネルより大きい仮想の正方形又は仮想の長方形の頂点に対応する位置に配置される表示装置。
【請求項１６】
ウィンドウと、
前記ウィンドウの下面に結合され、平面上で実質的にｎ個のエッジを有する正多角形状の表示パネルと、を含み、
前記ウィンドウは、
ベース部材と、
前記ベース部材の下面に配置され、光を透過させることができるアライメントマーク及び前記表示パネルと異なる形状の透過領域が定義されたベゼル層と、を含み、
前記アライメントマークは、ｎ−ｉ個（ここで、ｉは１以上であり、ｎより小さい自然数）提供され、
前記アライメントマークは、前記表示パネルの頂点に対応する位置に配置されるか、或いは前記表示パネルと重心が同一であり、前記表示パネルより大きい仮想の多角形の頂点に対応する位置に配置される表示装置。
【請求項１７】
実質的に正方形状又は実質的に長方形状を有する表示パネルと前記表示パネルと異なる形状の透過領域、前記透過領域に隣接する非透過領域、及び非透過領域に形成されたメインアライメントマークを含むウィンドウを予備整列し、
前記表示パネルの頂点の位置及び前記表示パネルの中心点の位置を算出する段階と、
前記表示パネルの数値情報及び前記メインアライメントマークを利用して前記表示パネルの頂点の少なくとも一部に対応する仮想の点の位置及び前記表示パネルの中心点に対応する整列中心点の位置を算出し、
前記中心点と前記整列中心点を一致させて整列し、
前記ウィンドウと前記表示パネルとを結合し、
前記メインアライメントマークは、前記表示パネルの頂点の数より少ない数に提供される表示装置の製造方法。
【請求項１８】
前記ウィンドウは、前記メインアライメントマークと離隔され、前記表示パネルと中心点が同一であり、前記表示パネルより大きい仮想の正方形又は仮想の長方形の頂点に対応する位置に配置されたサブアライメントマークをさらに含み、
前記整列するときに前記中心点と前記整列中心点との間に誤差があることと判断される時、前記サブアライメントマークを利用して前記仮想の点と前記整列中心点を再算出する請求項１７に記載の表示装置の製造方法。
【請求項１９】
前記ウィンドウは、前記メインアライメントマークと離隔された検査用マークをさらに含み、
前記ウィンドウと前記表示パネルとを結合した後に、前記検査用マークと前記表示パネルのエッジとの間の間隔を算出する請求項１７に記載の表示装置の製造方法。
【請求項２０】
前記表示パネルと前記ウィンドウとの間に接着部材を配置させる請求項１７に記載の表示装置の製造方法。
【請求項２１】
前記メインアライメントマークは、２つ提供され、
２つの前記メインアライメントマークは、前記表示パネルの一側エッジに対応する２つの頂点に対応する位置に配置される請求項１７に記載の表示装置の製造方法。
【発明の詳細な説明】
【技術分野】
【０００１】
本発明は表示装置及びその製造方法に係り、より詳細には非定型的な表示領域を有する表示装置及びその製造方法に係る。
【背景技術】
【０００２】
スマートフォン、タブレット、ノート型コンピューター、ナビゲーション、及びスマートテレビジョン等のような電子装置が開発されている。このような電子装置は情報を提供するために表示装置を具備する。電子装置は表示装置の外に多様な電子モジュールをさらに含む。
【０００３】
表示装置は電子装置の使用目的に合うように設計される。また、表示装置は多様な形状に設計される。
【先行技術文献】
【特許文献】
【０００４】
【特許文献１】米国特許第９，９３９，８４５号公報
【特許文献２】米国特許公開第２０１７／３２４９４号公報
【発明の概要】
【発明が解決しようとする課題】
【０００５】
本発明の目的は不良率が減少された表示装置を提供することにある。また、本発明の他の目的は、本発明のラミネーション工程の誤差が減少した表示装置の製造方法を提供することにある。
【課題を解決するための手段】
【０００６】
本発明の一実施形態に係る表示装置はウィンドウ及び前記ウィンドウの下面に結合され、平面上で実質的に正方形状又は実質的に長方形状を有する表示パネルを含む。前記ウィンドウはベース部材及び前記ベース部材の下面に配置され、光を透過させることができるアライメントマーク及び前記表示パネルと異なる形状の透過領域が定義されたベゼル層を含む。前記アライメントマークは１つ乃至３つのメインアライメントマークを含む。前記メインアライメントマークは前記表示パネルの頂点（ｖｅｒｔｅｘ）に対応する位置に配置されるか、或いは前記表示パネルと中心点が同一であり、前記表示パネルより大きい正方形又は長方形の頂点に対応する位置に配置される。
【０００７】
前記アライメントマークは２つの前記メインアライメントマークを含み、２つの前記メインアライメントマークは前記表示パネルの一側エッジに対応する２つの頂点（ｖｅｒｔｅｘ）に対応する位置に配置されてもよい。
【０００８】
前記メインアライメントマークは前記表示パネルの頂点（ｖｅｒｔｅｘ）と重畳してもよい。
【０００９】
前記表示パネルは画素が配置される表示領域及び前記画素が未配置される非表示領域を含み、前記透過領域は前記表示領域内側に配置されてもよい。
【００１０】
前記アライメントマークは前記メインアライメントマークと離隔されて配置され、前記メインアライメントマークと異なる形状のサブアライメントマークをさらに含んでもよい。
【００１１】
前記サブアライメントマークは前記表示パネルのエッジに重畳してもよい。
【００１２】
前記アライメントマークは前記表示パネルのエッジの外側に配置された検査用マークをさらに含んでもよい。
【００１３】
平面上で前記表示パネルのコーナー領域には曲線が定義されてもよい。
【００１４】
前記表示装置は自動車の室内に装着されてもよい。
【００１５】
前記透過領域は前記自動車の内装材から露出され、前記自動車の前記内装材は前記ベゼル層の一部分をカバーし、前記アライメントマークは前記自動車の内装材に重畳してもよい。
【００１６】
本発明の一実施形態に係る表示装置はウィンドウ及び前記ウィンドウの下面に結合され、平面上で実質的に正方形状又は実質的に長方形状の表示領域及び前記表示領域の外側に配置された非表示領域を含む表示パネルを含む。
【００１７】
前記ウィンドウは、ベース部材及び前記ベース部材の下面に配置され、光を透過させることができるアライメントマーク及び前記表示領域と異なる形状の透過領域が定義されたベゼル層を含む。前記アライメントマークは１つ乃至３つのメインアライメントマークを含み、前記メインアライメントマークは前記表示領域と中心点が同一であり、前記表示領域より大きい正方形又は長方形の頂点に対応する位置に配置される。
【００１８】
前記表示パネルは平面上で前記表示領域と異なる形状を有してもよい。
【００１９】
前記表示パネルは平面上で実質的に正方形状又は実質的に長方形状を有してもよい。
【００２０】
前記メインアライメントマークは前記表示パネルの頂点（ｖｅｒｔｅｘ）に対応する位置に配置されてもよい。
【００２１】
本発明の一実施形態に係る表示装置はウィンドウ及び前記ウィンドウの下面に結合された表示パネルを含む。表示パネルは平面上で曲線型コーナー領域を有する正方形状又は平面上で曲線型コーナー領域を有する長方形状を有する。
【００２２】
本発明の一実施形態に係る表示装置はウィンドウ及び前記ウィンドウの下面に結合された表示パネルを含む表示パネルは平面上で実質的にｎ個のエッジを有する正多角形状を有する。
【００２３】
前記ウィンドウはベース部材及び前記ベース部材の下面に配置され、光を透過させることができるアライメントマーク及び前記表示パネルと異なる形状の透過領域が定義されたベゼル層を含むことができる。前記アライメントマークはｎ−ｉ（ここで、ｉは１以上であり、ｎより小さい自然数）個に提供される。前記アライメントマークは前記表示パネルの頂点（ｖｅｒｔｅｘ）に対応する位置に配置されるか、或いは前記表示パネルと中心点が同一であり、前記表示パネルより大きい多角形の頂点に対応する位置に配置される。
【００２４】
本発明の一実施形態に係る表示装置の製造方法は実質的に正方形状又は実質的に長方形状を有する表示パネルと前記表示パネルと異なる形状の透過領域、前記透過領域に隣接する非透過領域、及び非透過領域に形成されたメインアライメントマークを含むウィンドウを予備整列する段階、前記表示パネルの頂点の位置及び前記表示パネルの中心点の位置を算出する段階、前記表示パネルの数値情報及び前記メインアライメントマークを利用して前記表示パネルの頂点に対応する仮想の点の位置及び前記表示パネルの中心点に対応する整列中心点の位置を算出する段階、前記中心点と前記整列中心点を一致させる整列段階、及び前記ウィンドウと前記表示パネルとを結合する段階を含む。前記メインアライメントマークは前記表示パネルの頂点の数より少ない数に提供される。
【００２５】
前記ウィンドウは前記メインアライメントマークと離隔され、前記表示パネルと中心点が同一であり、前記表示パネルより大きい正方形又は長方形の頂点に対応する位置に配置されたサブアライメントマークをさらに含んでもよい。
【００２６】
前記整列段階で前記中心点と前記整列中心点との間に誤差があることと判断される時、前記サブアライメントマークを利用して前記仮想の点と前記整列中心点を再算出する段階をさらに含でもよい。
【００２７】
前記ウィンドウは前記メインアライメントマークと離隔された検査用マークをさらに含むことができる。前記ウィンドウと前記表示パネルとを結合する段階の後に、前記検査用マークと前記表示パネルのエッジとの間の間隔を算出する段階をさらに含んでもよい。
【００２８】
前記表示パネルと前記ウィンドウとの間に接着部材を配置させる段階をさらに含んでもよい。
【００２９】
前記メインアライメントマークは２つ提供され、２つの前記メインアライメントマークは前記表示パネルの一側エッジに対応する２つの頂点に対応する位置に配置されてもよい。
【発明の効果】
【００３０】
上述したことによれば、非定型的な形状の透過領域を有するウィンドウと定型的な形状の表示パネルとを結合する過程で不良が発生しない。ウィンドウに形成されたメインアライメントマークを利用して仮想点の位置及び整列中心点の位置を算出し、これを利用して表示パネルとウィンドウをラミネーションするためである。
【００３１】
メインアライメントマークは前記表示パネルの頂点の数より少ない数に提供されるので、使用者に露出されたウィンドウの一部領域に前記メインアライメントマークを形成しなくてもよい。
【図面の簡単な説明】
【００３２】
【図１】本発明の一実施形態に係る表示装置が設置された自動車の内部を図示した。
【図２】本発明の一実施形態に係る表示装置が設置された自動車の後方モニタリングシステムを図示した。
【図３】本発明の一実施形態に係る表示装置と自動車に設置された構造物の配置関係を図示する。
【図４Ａ】本発明の一実施形態に係る表示装置の斜視図である。
【図４Ｂ】本発明の一実施形態に係る表示装置の分解斜視図である。
【図４Ｃ】本発明の一実施形態に係る表示装置の断面図である。
【図５Ａ】本発明の一実施形態に係る表示パネルの断面図である。
【図５Ｂ】本発明の一実施形態に係る表示パネルの平面図である。
【図５Ｃ】本発明の一実施形態に係る表示パネルの拡大された断面図である。
【図６Ａ】本発明の一実施形態による表示装置の背面図である。
【図６Ｂ】図６Ａの一部分の拡大図である。
【図６Ｃ】図６Ａの一部分の拡大図である。
【図７Ａ】本発明の一実施形態に係る表示装置の製造方法を示したフローチャートである。
【図７Ｂ】本発明の一実施形態に係る表示装置の製造方法の一段階を示した斜視図である。
【図７Ｃ】本発明の一実施形態に係る表示装置の製造方法の一段階を示した側面図である。
【図８Ａ】本発明の一実施形態による表示装置の背面図である。
【図８Ｂ】図８Ａの一部分の拡大図である。
【図９Ａ】本発明の一実施形態による表示装置の背面図である。
【図９Ｂ】図９Ａの一部分の拡大図である。
【図９Ｃ】本発明の一実施形態による表示装置の背面図である。
【図９Ｄ】図９Ｃの一部分の拡大図である。
【図１０Ａ】本発明の一実施形態に係る表示装置の背面図である。
【図１０Ｂ】図１０Ａの一部分の拡大図である。
【図１１Ａ】本発明の一実施形態に係る表示装置の背面図である。
【図１１Ｂ】図１１Ａの一部分の拡大図である。
【発明を実施するための形態】
【００３３】
以下、図面を参照して本発明の実施形態を説明する。本明細書で、ある構成要素（又は領域、層、部分等）が他の構成要素“上にある”、“連結される”、又は“結合される”と言及される場合に、それは他の構成要素上に直接配置／連結／結合されることができるか、或いはこれらの間に第３の構成要素が配置されることもできることを意味する。
【００３４】
同一の図面符号は同一の構成要素を称する。また、図面において、構成要素の厚さ、比率、及び寸法は技術的内容の効果的な説明のために誇張されたものである。“及び／又は”は連関された構成が定義できる１つ以上の組合せを全て含む。
【００３５】
第１、第２等の用語は多様な構成要素を説明するために使用されるが、前記構成要素は前記用語によって限定されてはならない。前記用語は１つの構成要素を他の構成要素から区別する目的のみに使用される。例えば、本発明の権利範囲を逸脱しなく、第１構成要素は第２構成要素と称され、類似に第２構成要素も第１構成要素と称されることができる。単数の表現は文脈の上に明確に異なって表現しない限り、複数の表現を含む。
【００３６】
また、“下に”、“下側に”、“上に”、“上側に”等の用語は図面に図示された構成の連関関係を説明するために使用される。前記用語は相対的な概念として図面に表示された方向を基準に説明される。
【００３７】
“含む”又は“有する”等の用語は明細書上に記載された特徴、数字、段階、動作、構成要素、部品又はこれらを組み合せたことが存在することを表現しようするものであり、１つ又はその以上の他の特徴や数字、段階、動作、構成要素、部分品、又はこれらを組み合わせたものの存在又は付加可能性を予め排除しないものとして理解されるべきである。
【００３８】
図１には本発明の一実施形態に係る表示装置ＤＤが設置された自動車ＶＨの内部を図示する。図２には本発明の一実施形態に係る表示装置ＤＤが設置された自動車の後方モニタリングシステムＶＨ−ＢＭＳを図示する。図３には本発明の一実施形態に係る表示装置ＤＤと自動車の内装材ＶＨ−Ｉとの配置関係を図示する。
【００３９】
図１に図示されたように、本発明の一実施形態に係る表示装置ＤＤは自動車のドアに配置される。表示装置ＤＤはドアのフレームと内装材ＶＨ−Ｉとの間に配置される。
【００４０】
このような表示装置ＤＤは図２に図示された自動車の後方モニタリングシステムＶＨ−ＢＭＳを構成する。本実施形態で自動車の後方モニタリングシステムＶＨ−ＢＭＳを例示的に説明したが、本発明に係る表示装置ＤＤは車輌制御モジュールＶＣＭと連動して情報を提供するその他の機能的システムの構成要素として採用されることができる。例えば、ナビゲーションシステム、マルチメディア提供システム等を構成することができる。
【００４１】
図２に図示されたように、自動車の後方モニタリングシステムＶＨ−ＢＭＳは車輌制御モジュールＶＣＭ、カメラモジュールＣＭ、表示装置ＤＤを含む。車輌制御モジュールＶＣＭはマイクロプロセッサ、イメージ処理プロセッサを含む電子モジュールとしてカメラモジュールＣＭから出力されたイメージデータを受信する。イメージデータは自動車の後方イメージに関する情報を有する。車輌制御モジュールＶＣＭはカメラモジュールＣＭから受信されたイメージデータを表示装置ＤＤに適合なデータに変換し、変換されたデータを表示装置ＤＤに送信する。使用者は表示装置ＤＤを通じて自動車の後方イメージを実時間に獲得することができる。
【００４２】
図３に図示されたように、表示装置ＤＤの一部分は使用者に露出され、一部分は内装材ＶＨ−Ｉによってカバーされる。表示装置ＤＤは表示領域ＤＤ−ＤＡとベゼル領域ＤＤ−ＮＤＡを含む。内装材ＶＨ−Ｉから表示領域ＤＤ−ＤＡとベゼル領域ＤＤ−ＮＤＡの一部分が使用者に露出される。
【００４３】
図４Ａは本発明の一実施形態に係る表示装置ＤＤの斜視図である。図４Ｂは本発明の一実施形態に係る表示装置ＤＤの分解斜視図である。図４Ｃは本発明の一実施形態に係る表示装置ＤＤの断面図である。図５Ａは本発明の一実施形態に係る表示パネルＤＰの断面図である。図５Ｂは本発明の一実施形態に係る表示パネルＤＰの平面図である。図５Ｃは本発明の一実施形態に係る表示パネルＤＰの拡大された断面図である。
【００４４】
図４Ａに図示された表示装置ＤＤは前面（又は表示面）の表示領域ＤＤ−ＤＡを通じてイメージを表示する。前面は第１方向軸ＤＲ１及び第２方向軸ＤＲ２が定義する面と平行である。前面の法線方向、即ち表示装置ＤＤの厚さ方向は第３方向軸ＤＲ３が指示する。
【００４５】
イメージが表示される方向を前記第３方向軸ＤＲ３と同一に設定された状態で、各部材又はユニットの上面（又は前面）と下面（又は背面）が第３方向軸ＤＲ３によって区分される。以下、第１乃至第３方向は第１乃至第３方向軸ＤＲ１、ＤＲ２、ＤＲ３が指示する方向に同一な図面符号を参照する。
【００４６】
図４Ａに図示されたように、表示領域ＤＤ−ＤＡは平面上で非定型的な多角形状を有することができる。表示領域ＤＤ−ＤＡの平面上形状はベゼル層ＢＺ（図４Ｃ参照）の内側エッジＢＺ−ＩＥによって定義される。
【００４７】
非定型的な多角形状というのは実質的に長方形ではないか、或いはｎ個のエッジを有する正多角形状ではない形状を意味する。ここで、“実質的に長方形状”というのは数学的意味の長方形状のみならず、数学的意味の長方形状と異なって頂点に角部が形成されない類似長方形状（ａｌｉｋｅ  ｒｅｃｔａｎｇｕｌａｒ  ｓｈａｐｅ）を意味する。別に図示しなかったが、”実質的にｎ個のエッジを有する正多角形状”というのは数学的意味の正多角形状のみならず、数学的意味の正多角形状と異なって頂点に頂角が形成されないｎ個のエッジを有する類似正多角形を意味する。ここで、ｎは３以上の自然数である。
【００４８】
図４Ａは図３に図示されたベゼル領域ＤＤ−ＮＤＡを２つのベゼル領域ＤＤ−ＮＤＡ１、ＤＤ−ＮＤＡ２に区分して図示した。以下、第１ベゼル領域ＤＤ−ＮＤＡ１は内装材ＶＨ−Ｉ（図３参照）によってカバーされる領域として定義され、第２ベゼル領域ＤＤ−ＮＤＡ２は内装材ＶＨ−Ｉから露出された領域として定義される。図４Ａには表示装置ＤＤに重畳することができる内装材ＶＨ−Ｉの仮想のエッジＶＨ−ＩＥを図示した。第１ベゼル領域ＤＤ−ＮＤＡ１と第２ベゼル領域ＤＤ−ＮＤＡ２もやはり説明の便宜上に異なるハッチングで示されている。
【００４９】
本発明の一実施形態で平面型表示面を具備する表示装置ＤＤを図示したが、これに制限されない。表示装置ＤＤは曲面型表示面又は立体型表示面を含んでもよい。立体型表示面は互いに異なる方向を指示する複数の表示領域を含んでもよい。
【００５０】
本実施形態に係る表示装置ＤＤはリジッド表示装置である。しかし、これに制限されず、本発明に係る表示装置ＤＤはフレキシブル表示装置であってもよい。
【００５１】
図４Ｂ及び図４Ｃに図示されたように、表示装置ＤＤはウィンドウＷＭ、表示パネルＤＰ、及びウィンドウＷＭと表示パネルＤＰとを結合する接着部材ＯＣＡを含む。
【００５２】
図４Ａ乃至図４Ｃに図示されたように、ウィンドウＷＭはベース層ＢＳ及びベゼル層ＢＺを含む。ウィンドウＷＭには表示装置ＤＤの表示領域ＤＤ−ＤＡ、第１ベゼル領域ＤＤ−ＮＤＡ１、第２ベゼル領域ＤＤ−ＮＤＡ２に対応する透過領域ＷＭ−Ｔ、第１遮光領域ＷＭ−ＮＴ１、第２遮光領域ＷＭ−ＮＴ２が定義される。実質的に第１遮光領域ＷＭ−ＮＴ１、第２遮光領域ＷＭ−ＮＴ２はベゼル層ＢＺが配置された領域であり、透過領域ＷＭ−Ｔはベゼル層ＢＺが未配置された領域である。
【００５３】
ベース層ＢＳはガラス基板及び／又は合成樹脂フィルム等を含むことができる。ベース層ＢＳは単層に制限されない。ベース層ＢＳは接着部材で結合された２以上のフィルムを含むことができる。
【００５４】
ベゼル層ＢＺは有色の有機膜として、例えばコーティング方式に形成されてもよい。ベゼル層ＢＺは多層構造を有することができる。ベゼル層ＢＺは染料及び／又は顔料を含むカラー層を含むことができる。
【００５５】
別に図示しないが、ウィンドウＷＭはベース層ＢＳの前面に配置された機能性コーティング層をさらに含むことができる。機能性コーティング層は指紋防止層、反射防止層等を含むことができる。
【００５６】
接着部材ＯＣＡは透明な接着部材である。例えば、接着部材ＯＣＡは減圧接着フィルム（Ｐｒｅｓｓｕｒｅ  Ｓｅｎｓｉｔｉｖｅ  Ａｄｈｅｓｉｖｅ  ｆｉｌｍ）である。接着部材ＯＣＡは通常の接着剤又は粘着剤を含むことができ、特別に制限されない。
【００５７】
本発明の一実施形態に係る表示パネルＤＰは発光型表示パネルであり、特別に制限されない。例えば、表示パネルＤＰは有機発光表示パネル又は量子ドット発光表示パネル（ａ  ｑｕａｎｔｕｍ−ｄｏｔ  ｌｉｇｈｔ−ｅｍｉｔｔｉｎｇ  ｄｉｓｐｌａｙ  ｐａｎｅｌ）であってもよい。有機発光表示パネルの発光層は有機発光物質を含むことができる。量子ドット発光表示パネルの発光層は量子ドット、及び量子ロッド等を含むことができる。以下、表示パネルＤＰは有機発光表示パネルとして説明される。
【００５８】
表示パネルＤＰは表示装置ＤＤの表示領域ＤＤ−ＤＡ及びウィンドウＷＭの透過領域ＷＭ−Ｔと異なる形状を有する。表示パネルＤＰは平面上で実質的に定型的な多角形状を有することができる。“定型的な多角形状”というのは長方形又はｎ個のエッジを有する正多角形を意味する。“実質的に定型的な多角形状”は頂点に頂角が形成された数学的意味の長方形状又は正多角形状又は頂点に頂角が形成されなく、曲線型コーナー領域を有する類似長方形状又は類似正多角形状を意味する。
【００５９】
また、”定型的な多角形状”というのは対向する頂点を連結した対角線が１つの点で交差する多角形を含む。例えば斜方形、長方形、４以上の偶数のエッジを有する正多角形を含む。
【００６０】
表示パネルＤＰの平面上で形状は図５Ａ乃至図５Ｃを参照して説明する表示基板ＤＳ又は封止基板ＥＳのエッジによって定義される。
【００６１】
表示パネルＤＰは表示領域ＤＰ−ＤＡと非表示領域ＤＰ−ＮＤＡを含む。表示領域ＤＰ−ＤＡは画素ＰＸが配置された領域であり、非表示領域ＤＰ−ＮＤＡは画素が未配置された領域である。表示領域ＤＰ−ＤＡもやはり実質的に定型的な多角形状を有することができる。表示パネルＤＰの表示領域ＤＰ−ＤＡとウィンドウＷＭの透過領域ＷＭ−Ｔが異なる形状を有しても、平面上で透過領域ＷＭ−Ｔは表示領域ＤＰ−ＤＡの内側に配置される。
【００６２】
別に図示しなかったが、表示装置ＤＤは外部から入射される自然光（又は太陽光）の反射率を減少させるために光学フィルムをさらに含むことができる。光学フィルムはウィンドウＷＭと表示パネルＤＰとの間に配置されることができる。光学フィルムは位相遅延子（ｒｅｔａｒｄｅｒ）及び偏光子（ｐｏｌａｒｉｚｅｒ）を含む。表示装置ＤＤは表示パネルＤＰに一体に形成されるか、或いは別に取り付けられたタッチスクリーンをさらに含むことができる。
【００６３】
図５Ａに図示されたように、表示パネルＤＰは表示基板ＤＳ、封止基板ＥＳ、及びシーリング部材ＳＭを含む。本実施形態でリジッド表示パネルＤＰを例示的に図示したが、フレキシブル表示パネルが表示装置ＤＤに適用されてもよい。フレキシブル表示パネルは封止基板ＥＳ及びシーリング部材ＳＭを含まなく、封止薄膜が表示基板ＤＳを密封する。
【００６４】
表示基板ＤＳはベース層ＢＬ、ベース層ＢＬ上に配置された回路素子層ＤＰ−ＣＬ、回路素子層ＤＰ−ＣＬ上に配置された表示素子層ＤＰ−ＯＬＥＤを含む。ベース層ＢＬはガラス基板を含むことができる。その他にベース層ＢＬは可視光波長範囲で実質的に屈折率が一定な基板を含むことができる。
【００６５】
回路素子層ＤＰ−ＣＬは少なくとも１つの絶縁層と回路素子とを含む。以下、回路素子層ＤＰ−ＣＬに含まれた絶縁層は中間絶縁層と称される。中間絶縁層は少なくとも１つの中間無機膜及び／又は少なくとも１つの中間有機膜を含む。回路素子は信号ライン、画素の駆動回路等を含む。
【００６６】
表示素子層ＤＰ−ＯＬＥＤは発光素子を含む。表示素子層ＤＰ−ＯＬＥＤは発光素子として有機発光ダイオードを含む。表示素子層ＤＰ−ＯＬＥＤは画素定義膜を、例えば有機物質を含む。
【００６７】
封止基板ＥＳは透明な基板である。封止基板ＥＳはガラス基板を含むことができる。その他に封止基板ＥＳは可視光波長範囲で実質的に屈折率が一定な基板を含むことができる。
【００６８】
シーリング部材ＳＭはフリット（ｆｒｉｔ）のような無機物接着部材を含む。これに制限されなく、シーリング部材ＳＭは有機物接着部材を含むことができる。シーリング部材ＳＭは表示パネルＤＰの非表示領域ＤＰ−ＮＤＡに重畳する。シーリング部材ＳＭは表示基板ＤＳと封止基板ＥＳとの間にギャップＧＰを形成する。ギャップＧＰには空気又は非活性気体（以下、外部気体）が充填される。封止基板ＥＳとシーリング部材ＳＭは表示基板ＤＳに湿気が浸透することを防止することができる。
【００６９】
図５Ｂに図示されたように、表示パネルＤＰは駆動回路ＧＤＣ、複数の信号ラインＳＧＬ（以下、信号ライン）、及び複数の画素ＰＸ（以下、画素）を含む。画素ＰＸの各々は発光素子とそれに連結された画素駆動回路を含む。駆動回路ＧＤＣ、信号ラインＳＧＬ、及び画素駆動回路は図５Ａに図示された回路素子層ＤＰ−ＣＬに含まれる。
【００７０】
駆動回路ＧＤＣは走査駆動回路を含む。走査駆動回路は複数の走査信号（以下、走査信号）を生成し、走査信号を後述する複数の走査配線ＧＬ（以下、走査配線）に順次的に出力する。走査駆動回路は画素駆動回路にその他の制御信号をさらに出力することができる。
【００７１】
走査駆動回路は画素駆動回路と同一な工程、例えばＬＴＰＳ（Ｌｏｗ  Ｔｅｍｐｅｒａｔｕｒｅ  Ｐｏｌｙｃｒｙｓｔａｌｉｎｅ  Ｓｉｌｉｃｏｎ）工程又はＬＴＰＯ（Ｌｏｗ  Ｔｅｍｐｅｒａｔｕｒｅ  Ｐｏｌｙｃｒｙｓｔａｌｌｉｎｅ  Ｏｘｉｄｅ）工程を通じて形成された複数の薄膜トランジスタを含むことができる。
【００７２】
信号ラインＳＧＬは走査ラインＧＬ、データラインＤＬ、電源ラインＰＬ、及び制御信号ラインＣＳＬを含む。走査ラインＧＬは画素ＰＸの中で対応する画素ＰＸに各々連結され、データラインＤＬは画素ＰＸの中で対応する画素ＰＸに各々連結される。電源ラインＰＬは画素ＰＸに連結される。制御信号ラインＣＳＬは走査駆動回路に制御信号を提供する。
【００７３】
信号ラインＳＧＬは未図示された回路基板と連結されることができる。回路基板に実装された集積チップ形態のタイミング制御回路と連結されることができる。本発明の一実施形態で、このような集積チップは非表示領域ＤＰ−ＮＤＡに配置されて信号ラインＳＧＬと連結されてもよい。
【００７４】
図５Ｃに図示されたように、回路素子層ＤＰ−ＣＬは無機膜であるバッファ膜ＢＦＬ、第１中間無機膜ＣＬ１、及び第２中間無機膜ＣＬ２を含み、有機膜である中間有機膜ＣＬ３を含む。図５Ｃには駆動トランジスタＴ−Ｄを構成する半導体パターンＯＳＰ、制御電極ＧＥ、入力電極ＤＥ、出力電極ＳＥの配置関係が例示的に図示された。第１乃至第２貫通ホールＣＨ１乃至ＣＨ２も例示的に図示された。
【００７５】
表示素子層ＤＰ−ＯＬＥＤは発光素子を含む。表示素子層ＤＰ−ＯＬＥＤは発光素子として有機発光ダイオードＯＬＥＤを含む。表示素子層ＤＰ−ＯＬＥＤは画素定義膜ＰＤＬを含む。例えば、画素定義膜ＰＤＬは有機層である。
【００７６】
中間有機膜ＣＬ３上に第１電極ＡＥが配置される。第１電極ＡＥは中間有機膜ＣＬ３を貫通する第３貫通ホールＣＨ３を通じて出力電極ＳＥに連結される。画素定義膜ＰＤＬには開口部ＯＰが定義される。画素定義膜ＰＤＬの開口部ＯＰは第１電極ＡＥの少なくとも一部分を露出させる。画素定義膜ＰＤＬの開口部ＯＰは他の開口部と区分するために発光開口部と称される。
【００７７】
表示パネルＤＰの表示領域ＤＰ−ＤＡは発光領域ＰＸＡと発光領域ＰＸＡに隣接する非発光領域ＮＰＸＡを含む。非発光領域ＮＰＸＡは発光領域ＰＸＡを囲む。本実施形態で発光領域ＰＸＡは発光開口部ＯＰによって露出された第１電極ＡＥの一部領域に対応するように定義される。
【００７８】
正孔制御層ＨＣＬは発光領域ＰＸＡと非発光領域ＮＰＸＡとに共通に配置される。正孔制御層ＨＣＬは正孔輸送層を含み、正孔注入層をさらに含む。正孔制御層ＨＣＬ上に発光層ＥＭＬが配置される。発光層ＥＭＬは発光開口部ＯＰに対応する領域に配置される。即ち、発光層ＥＭＬは画素の各々に分離されて形成される。発光層ＥＭＬは有機物質及び／又は無機物質を含むことができる。発光層ＥＭＬは所定の有色カラー光を生成することができる。
【００７９】
発光層ＥＭＬ上に電子制御層ＥＣＬが配置される。電子制御層ＥＣＬは電子輸送層を含み、電子注入層をさらに含む。正孔制御層ＨＣＬと電子制御層ＥＣＬはオープンマスクを利用して複数の画素に共通に形成される。電子制御層ＥＣＬ上に第２電極ＣＥが配置される。第２電極ＣＥは複数の画素に共通的に配置される。
【００８０】
保護層ＰＩＬが表示素子層ＤＰ−ＯＬＥＤ上にさらに配置されることができる。保護層は有機発光ダイオードの第２電極ＣＥを保護する。保護層ＰＩＬは無機物、例えばシリコン酸化物又はシリコンナイトライド又はシリコンオキシナイトライドを含むことができる。
【００８１】
図６Ａは本発明の一実施形態に係る表示装置ＤＤの背面図である。図６Ｂ及び６Ｃは図６Ａの一部分の拡大図である。以下、図１乃至図５Ｃを参照して説明した構成と同一な構成に対する詳細な説明は省略する。
【００８２】
本実施形態で実質的に定型的な多角形状の表示パネルＤＰとして長方形状の表示パネルＤＰを例示的に図示した。図６Ａ乃至図６Ｃには表示パネルＤＰのエッジＤＰ−ＩＥを図示し、このような表示パネルＤＰのエッジＤＰ−ＩＥは図５Ａに図示された封止基板ＥＳのエッジである。
【００８３】
図４Ｃを参照して説明したベゼル層ＢＺには複数のアライメントマークが定義される。ベース層ＢＳに有色物質を印刷して、例えばスクリーン印刷、ベゼル層ＢＺを形成することができる。アライメントマークが形成される領域にマスクを配置させ、スクリーン印刷を進行すれば、マスクが配置された領域に有色物質が印刷されない。このような方式に光透過型アライメントマークをベゼル層ＢＺと同時に形成する。透過領域ＷＭ−Ｔもやはり有色物質が未印刷された領域である。
【００８４】
図６Ａ乃至図６Ｃに図示されたように、複数のアライメントマークはメインアライメントマークＡＭ−Ｍ、サブアライメントマークＡＭ−Ｓ、及び検査用マークＡＭ−Ｔを含む。メインアライメントマークＡＭ−Ｍは表示パネルＤＰとウィンドウＷＭのラミネーション段階で利用される。サブアライメントマークＡＭ−Ｓは表示パネルＤＰとウィンドウＷＭのラミネーション段階でメインアライメントマークＡＭ−Ｍの機能を補完するために利用される。
【００８５】
検査用マークＡＭ−Ｔは表示パネルＤＰの外側に配置される。検査用マークＡＭ−Ｔはラミネーションの後、ラミネーションの工程誤差を算出するのに利用される。これに対する詳細な説明は後述する。
【００８６】
本実施形態によれば、表示装置ＤＤは表示パネルＤＰが定義する定型的な多角形の頂点の数より少ない数のメインアライメントマークＡＭ−Ｍを含む。長方形状の表示パネルＤＰを含む表示装置ＤＤは１つ乃至３つのメインアライメントマークＡＭ−Ｍを含むことができる。表示パネルＤＰが平面上でｎ個のエッジを有する実質的な正多角形状を有する場合に、表示装置ＤＤはｎ−ｉ（ここで、ｉは１以上であり、ｎより小さい自然数）個のメインアライメントマークＡＭ−Ｍを含むことができる。
【００８７】
図６Ａには２つのメインアライメントマークＡＭ−Ｍを含む表示装置ＤＤが例示的に図示された。２つのメインアライメントマークＡＭ−Ｍは表示パネルＤＰの一側エッジＤＰ−ＩＥに対応する２つの頂点に対応する位置に配置される。
【００８８】
このように表示パネルＤＰが定義する定型的な多角形の頂点の数より少ない数のメインアライメントマークＡＭ−Ｍが提供されることによって第２遮光領域ＷＭ−ＮＴ２にはメインアライメントマークＡＭ−Ｍが未配置されることができる。結果的にメインアライメントマークＡＭ−Ｍは内装材ＶＨ−Ｉ（図３参照）にカバーされ、使用者に認知されない。
【００８９】
メインアライメントマークＡＭ−Ｍは表示パネルＤＰの頂点（ｖｅｒｔｅｘ）に対応する位置に配置される。したがって、表示パネルＤＰの頂点はメインアライメントマークＡＭ−Ｍに重畳する。図６Ｂには十字形状のメインアライメントマークＡＭ−Ｍを図示した。図６Ｂには工程誤差無しで表示パネルＤＰの頂点が十字の中心に完全に一致されるようにラミネーションされた表示装置ＤＤを図示した。
【００９０】
サブアライメントマークＡＭ−ＳはメインアライメントマークＡＭ−Ｍに隣接するように配置される。図６Ｂに図示されたサブアライメントマークＡＭ−ＳとメインアライメントマークＡＭ−Ｍの離隔距離は１ｍｍ乃至２ｍｍである。メインアライメントマークＡＭ−Ｍ毎にサブアライメントマークＡＭ−Ｓが隣接するように配置される。
【００９１】
図６Ｃに図示されたように、サブアライメントマークＡＭ−Ｓの中で一部は表示パネルＤＰのエッジＤＰ−ＩＥに重畳することができる。サブアライメントマークＡＭ−ＳはメインアライメントマークＡＭ−Ｍと同一な面積を有することができ、他の面積を有することができる。サブアライメントマークＡＭ−ＳとメインアライメントマークＡＭ−Ｍの形状は特別に制限されない。
【００９２】
メインアライメントマークＡＭ−Ｍに隣接するサブアライメントマークＡＭ−Ｓもやはり内装材ＶＨ−Ｉ（図３参照）にカバーされ、使用者に認知されない。検査用マークＡＭ−Ｔもやはり内装材ＶＨ−Ｉ（図３参照）にカバーされる位置に形成される。検査用マークＡＭ−Ｔは複数提供される。
【００９３】
図７Ａは本発明の一実施形態に係る表示装置ＤＤの製造方法を示したフローチャートである。図７Ｂは本発明の一実施形態に係る表示装置ＤＤの製造方法の一段階を示した斜視図である。図７Ｃは本発明の一実施形態に係る表示装置ＤＤの製造方法の一段階を示した側面図である。図１乃至図６Ｂを参照して説明した構成と同一な構成に対する詳細な説明は省略する。
【００９４】
先ず、図７Ａ及び図７Ｂに図示されたように、表示パネルＤＰとウィンドウＷＭを予備整列する（Ｓ１０）。表示パネルＤＰの上面とウィンドウＷＭの下面が対向するように整列する。ステージ上に表示パネルＤＰが安着され、ホルダによってウィンドウがホールディングされた状態にラミネーション装置がセッティングされることができる。ホルダはステージの上側に配置される。
【００９５】
この時、表示パネルＤＰとウィンドウＷＭとの間に接着部材ＯＣＡが配置されることができる。接着部材ＯＣＡは表示パネルＤＰの上面とウィンドウＷＭの下面の中でいずれか１つに付着された状態に提供されることができる。
【００９６】
次に、図７Ａ及び図７Ｂに図示されたように、表示パネルＤＰの中心点ＤＰ−ＣＰとウィンドウＷＭの整列中心点ＷＭ−ＣＰを算出する（Ｓ２０）。カメラモジュールを利用して表示パネルＤＰを撮影する。ラミネーション装置のコンピュータシステムは表示パネルＤＰのイメージを利用して頂点の座標情報（又は位置情報）を算出する。コンピュータシステムは頂点の座標情報を利用して中心点ＤＰ−ＣＰを算出する。頂点を連結する２つの対角線ＤＰ−ＣＬを仮想に設定した後、２つの対角線の交差点を中心点ＤＰ−ＣＰとして算出する。中心点ＤＰ−ＣＰは数学的意味の重心算出方法によって算出されることができる。
【００９７】
別に図示しなかったが、奇数個のエッジを有する正多角形、例えば正五角形の中心点を設定する方法を簡略に説明する。頂点と頂点に対向するエッジの中心点を連結した仮想の５つの線を設定する。５つの仮想線は１つの地点で交差するのに、前記地点を中心点として設定することができる。したがって、頂点の座標情報を利用して中心点を算出することができる。
【００９８】
カメラモジュールを利用してウィンドウＷＭを撮影する。表示パネルＤＰの頂点より少ない数のメインアライメントマークＡＭ−Ｍに対する情報が獲得される。コンピュータシステムはウィンドウＷＭのイメージ、具体的にメインアライメントマークＡＭ−Ｍに対するイメージを利用してメインアライメントマークＡＭ−Ｍに対する座標情報を算出することができる。
【００９９】
メインアライメントマークＡＭ−Ｍに対する座標情報及び既入力された（又はメモリに格納された）表示パネルＤＰの数値情報を利用して、メインアライメントマークＡＭ−Ｍに未対応する表示パネルＤＰの頂点に対応する仮想の点ＡＭ−Ｉに対する座標情報を算出する。コンピュータシステムはメインアライメントマークＡＭ−Ｍの座標情報及び仮想の点ＡＭ−Ｉの座標情報を利用して整列中心点ＷＭ−ＣＰを算出する。メインアライメントマークＡＭ−Ｍ及び仮想の点ＡＭ−Ｉを連結する２つの対角線ＷＭ−ＣＬを仮想に設定した後、２つの対角線の交差点を整列中心点ＷＭ−ＣＰとして算出する。
【０１００】
次に、図７Ａ及び図７Ｂに図示されたように、中心点ＤＰ−ＣＰと整列中心点ＷＭ−ＣＰを整列する（Ｓ３０）。ステージとホルダの位置を調整して中心点ＤＰ−ＣＰと整列中心点ＷＭ−ＣＰを整列する。
【０１０１】
この時、メインアライメントマークＡＭ−Ｍが対応する一部の頂点と整列されるようにステージ及びホルダの位置が調整される。他の一部の頂点が仮想の点ＡＭ−Ｉに整列されるように表示パネルＤＰ又はウィンドウＷＭの位置が調整されることができる。
【０１０２】
この時、図６Ｃに図示されたサブアライメントマークＡＭ−Ｓを利用して表示パネルＤＰとウィンドウＷＭの整列状態を点検することができる。サブアライメントマークＡＭ−Ｓと表示パネルＤＰのエッジが一致すれば、次の工程を進行する。サブアライメントマークＡＭ−Ｓと表示パネルＤＰのエッジが一致しなければ、後述する図１０Ａ及び図１０Ｂの工程を追加進行する。
【０１０３】
次に、図７Ａ及び図７Ｃに図示されたように、ウィンドウＷＭと表示パネルＤＰとを結合させる（Ｓ４０）。ステージが第３方向ＤＲ３に沿って移動することによって、表示パネルＤＰがウィンドウＷＭに向かって接近する。接着部材ＯＣＡが表示パネルＤＰの上面に配置された状態でウィンドウＷＭと表示パネルＤＰとが結合される。接着部材ＯＣＡはシートタイプ又はレジンタイプである。但し、ウィンドウＷＭと表示パネルＤＰの結合方法はこれに制限されない。
【０１０４】
ウィンドウＷＭと表示パネルＤＰとを結合した後に、工程誤差を判定する段階を遂行することができる。工程誤差が基準値以上であれば、該当表示装置ＤＤは不良品として判定される。図６Ａ乃至図６Ｃを参照して説明した検査用マークＡＭ−Ｔと表示パネルＤＰのエッジＤＰ−ＩＥとの間の間隔を算出して基準値と比較することができる。カメラモジュールを利用して表示装置ＤＤの背面を撮影し、コンピュータシステムは撮影されたイメージに基づいて該当距離を算出することができる。
【０１０５】
検査用マークＡＭ−Ｔ毎に既設定された座標情報を有する。検査用マークＡＭ−Ｔ毎に表示パネルＤＰのエッジＤＰ−ＩＥと異なる間隔に離隔されることができる。複数の間隔を算出して検査信頼性を向上させることができる。
【０１０６】
図８Ａは本発明の一実施形態に係る表示装置ＤＤの背面図である。図８Ｂは図８Ａの一部分の拡大図である。以下、図１乃至図７Ｃを参照して説明した構成と同一な構成に対する詳細な説明は省略する。
【０１０７】
図８Ａは平面上で類似長方形状である表示パネルＤＰを図示した。平面上で表示パネルＤＰの曲線型コーナー領域には曲線ＣＬが定義される。曲線ＣＬは表示基板ＤＳのエッジ又は封止基板ＥＳのエッジによって定義されることができる。即ち、表示基板ＤＳのエッジ又は封止基板ＥＳのエッジはコーナー領域で曲線ＣＬを有する。
【０１０８】
ラミネーション装置のコンピュータシステムはカメラモジュールから撮影されたコーナー領域に対するイメージを利用して仮想の頂点Ｖ−Ｉに対応する座標情報（又は位置情報）を算出することができる。仮想の頂点Ｖ−Ｉに対応する位置は２つのエッジＤＰ−ＩＥが交差する地点である。
【０１０９】
仮想の頂点Ｖ−Ｉの座標情報を利用して中心点ＤＰ−ＣＰを算出することができる。仮想の頂点Ｖ−Ｉを連結する２つの対角線を仮想に設定した後、２つの対角線の交差点を中心点ＤＰ−ＣＰとして算出する。メインアライメントマークＡＭ−Ｍは仮想の頂点Ｖ−Ｉに対応する位置に配置されることができる。
【０１１０】
図９Ａは本発明の一実施形態に係る表示装置ＤＤの背面図である。図９Ｂは図９Ａの一部分の拡大図である。図９Ｃは本発明の一実施形態に係る表示装置ＤＤの背面図である。図９Ｄは図９Ｃの一部分の拡大図である。以下、図１乃至図８Ｂを参照して説明した構成と同一な構成に対する詳細な説明は省略する。
【０１１１】
メインアライメントマークＡＭ−Ｍは表示パネルＤＰと中心点ＤＰ−ＣＰが同一であり、表示パネルＤＰより大きい長方形又はｎ個のエッジを有する正多角形の頂点に対応する位置に配置されることができる。長方形及び正多角形は仮想の長方形又は正多角形である。図９Ａ乃至図９Ｄには表示パネルＤＰより大きい長方形ＤＰ−Ｗが例示的に図示された。
【０１１２】
図９Ａ及び図９Ｂに図示されたように、長方形ＤＰ−Ｗは表示パネルＤＰより第２方向ＤＲ２の長さがさらに大きい。これに制限されなく、長方形ＤＰ−Ｗは表示パネルＤＰより第１方向ＤＲ１の長さがさらに大きい。図９Ｃ及び図９Ｄに図示されたように、長方形ＤＰ−Ｗは表示パネルＤＰより第１方向ＤＲ１の長さ及び第２方向ＤＲ２の長さがさらに大きい。
【０１１３】
メインアライメントマークＡＭ−Ｍに対する座標情報及び既入力された（又はメモリに格納された）表示パネルＤＰの数値情報、及び表示パネルＤＰの頂点とメインアライメントマークＡＭ−Ｍとの間の距離情報を利用して、仮想の点ＡＭ−Ｉに対する座標情報を算出することができる。
【０１１４】
仮想の点ＡＭ−Ｉの座標情報とメインアライメントマークＡＭ−Ｍの座標情報を利用して整列中心点ＷＭ−ＣＰを算出することができる。仮想の点ＡＭ−ＩとメインアライメントマークＡＭ−Ｍを連結する２つの対角線を仮想に設定した後、２つの対角線の交差点を整列中心点ＷＭ−ＣＰとして算出することができる。
【０１１５】
図１０Ａは本発明の一実施形態に係る表示装置ＤＤの背面図である。図１０Ｂは図１０Ａの一部分の拡大図である。以下、図１乃至図９Ｄを参照して説明した構成と同一な構成に対する詳細な説明は省略する。
【０１１６】
メインアライメントマークＡＭ−Ｍはｎ個のエッジを有する正多角形状又は長方形状の表示パネルＤＰの頂点に対応する位置に配置されることができる。サブアライメントマークＡＭ−Ｓは表示パネルＤＰと中心点ＤＰ−ＣＰが同一であり、表示パネルＤＰより大きいｎ個のエッジを有する正多角形又は長方形の頂点に対応する位置に配置されることができる。長方形又は正多角形は仮想の長方形又は正多角形である。図１０Ａ及び図１０Ｂには表示パネルＤＰより大きい長方形ＤＰ−Ｗが例示的に図示された。
【０１１７】
図７Ａ及び図７Ｂを参照して説明した整列段階において、メインアライメントマークＡＭ−Ｍを基準に算出された整列中心点ＷＭ−ＣＰと中心点ＤＰ−ＣＰとの間に誤差があることと判断される時、サブアライメントマークＡＭ−Ｓを利用して仮想の点ＡＭ−Ｉと整列中心点ＷＭ−ＣＰを再算出することができる。中心点ＤＰ−ＣＰと整列中心点ＷＭ−ＣＰとの間に生じた誤差はベゼル層ＢＺがベース層ＢＳに印刷される時に発生した工程誤差が原因である。即ち、メインアライメントマークＡＭ−Ｍが設計した位置と異なる位置に形成されたことが原因である。
【０１１８】
サブアライメントマークＡＭ−Ｓを利用して図９Ａ及び図９Ｂを参照して説明した方式に仮想の点ＡＭ−Ｉと整列中心点ＷＭ−ＣＰを算出することができる。サブアライメントマークＡＭ−Ｓに対する座標情報及び既入力された表示パネルＤＰの数値情報、表示パネルＤＰの頂点とサブアライメントマークＡＭ−Ｓとの間の距離情報を利用して仮想の点ＡＭ−Ｉに対する座標情報を算出することができる。図１０Ａのように、仮想の点ＡＭ−ＩはサブアライメントマークＡＭ−Ｓが形成されない第２遮光領域ＷＭ−ＮＴ２に設定される。
【０１１９】
図１１Ａは本発明の一実施形態に係る表示装置ＤＤの背面図である。図１１Ｂは図１１Ａの一部分の拡大図である。以下、図１乃至図１０Ｂを参照して説明した構成と同一な構成に対する詳細な説明は省略する。
【０１２０】
本実施形態に表示領域ＤＰ−ＤＡは平面上で実質的に長方形状又は正多角形状を有することができる。表示パネルＤＰ−１又はＤＰ−２を撮影した後、イメージ処理を通じて表示領域ＤＰ−ＤＡの仮想の境界線ＤＡ−Ｅを設定することができる。仮想の境界線ＤＡ−Ｅが表示領域ＤＰ−ＤＡの形状を決定することができる。本実施形態で類似長方形状を有する表示領域ＤＰ−ＤＡを例示的に図示した。表示領域ＤＰ−ＤＡは曲線型コーナー領域を有する。
【０１２１】
ラミネーション装置のコンピュータシステムは仮想の境界線ＤＡ−Ｅを通じて表示領域ＤＰ−ＤＡの仮想の頂点ＤＶ−Ｉに対応する座標情報（又は位置情報）を算出することができる。仮想の頂点ＤＶ−Ｉの座標情報を利用して表示領域ＤＰ−ＤＡの重心ＤＰ−ＣＰＤを算出することができる。仮想の頂点ＤＶ−Ｉを連結する２つの対角線ＤＶ−Ｉを仮想に設定した後、２つの対角線ＤＶ−Ｉの交差点を表示領域ＤＰ−ＤＡの重心ＤＰ−ＣＰＤとして算出する。
【０１２２】
メインアライメントマークＡＭ−Ｍは表示領域ＤＰ−ＤＡと重心が同一であり、表示領域ＤＰ−ＤＡより大きい長方形又は正多角形の頂点に対応する位置に配置されることができる。メインアライメントマークＡＭ−Ｍは平面上で表示パネルＤＰ−１又はＤＰ−２の外側に配置されることができる。
【０１２３】
本実施形態は実質的に長方形状又は正多角形状を有しなく、非定型的な形状を有する表示パネルＤＰ−１に適用されることができる。表示領域ＤＰ−ＤＡを利用して表示パネルＤＰ−１とウィンドウＷＭを正確にラミネーションすることができる。
【０１２４】
本発明の一実施形態で表示パネルＤＰ−２が実質的に長方形状又は正多角形状を有する場合にも表示領域ＤＰ−ＤＡを利用して表示パネルＤＰの重心ＤＰ−ＣＰＤを算出することができる。図７Ａ及び図７Ｂを参照して説明した整列段階において、表示パネルＤＰの頂点を利用して算出した中心点ＤＰ−ＣＰとメインアライメントマークＡＭ−Ｍを基準に算出された整列中心点ＷＭ−ＣＰとの間に誤差があることと判断される時、表示領域ＤＰ−ＤＡを利用して重心ＤＰ−ＣＰＤを再算出することができる。
【０１２５】
図１１Ａには非定型的な形状を有する表示パネルＤＰ−１と長方形状を有する表示パネルＤＰ−２を１つの図面に図示した。２つの表示パネルＤＰ−１、ＤＰ−２が同一な表示領域ＤＰ−ＤＡを有することと仮定した。
【０１２６】
以上では本発明の望ましい実施形態を参照して説明したが、該当技術分野の熟練された当業者又は該当技術分野に通常の知識を有する者であれば、後述される特許請求の範囲に記載された本発明の思想及び技術領域から逸脱しない範囲内で本発明を多様に修正及び変更させることを理解させることができる。
【０１２７】
したがって、本発明の技術的範囲は明細書の詳細な説明に記載された内容に限定されることではなく、特許請求の範囲によって定まれなければならない。
【符号の説明】
【０１２８】
ＢＳ                    ベース層
ＢＺ                    ベゼル層
ＢＺ−ＩＥ              ベゼル層の内側エッジ
ＤＤ                    表示装置
ＤＤ−ＤＡ              表示領域
ＤＤ−ＮＤＡ            ベゼル領域
ＤＰ                    表示パネル
ＤＳ                    表示基板
ＥＳ                    封止基板
ＯＣＡ                  接着部材
ＳＭ                    シーリング部材
ＶＨ                    自動車
ＶＨ−ＢＭＳ            後方モニタリングシステム
ＶＨ＿Ｉ                自動車の内装材
ＷＭ                    ウィンドウ
ＷＭ−ＮＴ１、ＷＭ−ＮＴ２      遮光領域
ＷＭ−Ｔ                透過領域
【図１】
2020027304.tif 000003
【図２】
2020027304.tif 000004
【図３】
2020027304.tif 000005
【図４Ａ】
2020027304.tif 000006
【図４Ｂ】
2020027304.tif 000007
【図４Ｃ】
2020027304.tif 000008
【図５Ａ】
2020027304.tif 000009
【図５Ｂ】
2020027304.tif 000010
【図５Ｃ】
2020027304.tif 000011
【図６Ａ】
2020027304.tif 000012
【図６Ｂ】
2020027304.tif 000013
【図６Ｃ】
2020027304.tif 000014
【図７Ａ】
2020027304.tif 000015
【図７Ｂ】
2020027304.tif 000016
【図７Ｃ】
2020027304.tif 000017
【図８Ａ】
2020027304.tif 000018
【図８Ｂ】
2020027304.tif 000019
【図９Ａ】
2020027304.tif 000020
【図９Ｂ】
2020027304.tif 000021
【図９Ｃ】
2020027304.tif 000022
【図９Ｄ】
2020027304.tif 000023
【図１０Ａ】
2020027304.tif 000024
【図１０Ｂ】
2020027304.tif 000025
【図１１Ａ】
2020027304.tif 000026
【図１１Ｂ】
2020027304.tif 000027